(57)【要約】【課題】電子タグ情報を簡単に読み取れる構成とし、物品管理データとして有効活用する。【解決手段】コンピュータ用外部入力装置としてのマウス等ポインティングデバイスと電子タグ読み取り機能を一体化し、かつ読み取った電子タグデータをもとに物品管理を行うようにする。こうすることで電子タグまたは電子タグに書き込まれた製品情報を家庭内において有効に活用し、効率的に物品管理が出来るようになり、利用者の著しい利便性の向上を図ることが可能となる。【選択図】  図１
2004272648.tif 000002
【特許請求の範囲】
【請求項１】
コンピュータ用外部入力装置であるポインティングデバイスにおいて、電子タグデータ読み取り部を備えた電子タグデータ読み取り装置。
【請求項２】
電子タグに電波を送信または電子タグからの電波を受信する電波送受信部と、前記電波送受信部で受信した電子タグからの電波を電子タグデータとして認識する電子タグデータ認識部とを備えたことを特徴とする請求項１記載の電子タグデータ読み取り装置。
【請求項３】
前記ポインティングデバイスをマウスとする請求項１または２に記載の電子タグデータ読み取り装置。
【請求項４】
前記ポインティングデバイスをワイヤレスとすることを特徴とする請求項１から３のいずれかに記載の電子タグデータ読み取り装置。
【請求項５】
電子タグ読み取りデータの出力部とマウス操作データの出力部を共用することを特徴とする請求項３または４記載の電子タグデータ読み取り装置。
【請求項６】
マウス用クリックボタンの操作の組合せで、電子タグデータ読み取り操作かマウス操作かを切り換えることを特徴とする請求項３から５のいずれかに記載の電子タグデータ読み取り装置。
【請求項７】
電子タグデータ読み取り操作かマウス操作かを切り換えるための切り換えスイッチを独立して備えたことを特徴とする請求項３から５のいずれかに記載の電子タグデータ読み取り装置。
【請求項８】
請求項１から７のいずれかに記載の電子タグデータ読み取り装置を用いて電子タグデータを読み取るステップと、前記読み取った電子タグデータをモニタ上に表示するステップと、前記読み取った電子タグデータを物品管理データとして蓄積するステップと、を備えた物品管理方法。
【請求項９】
前記読み取った電子タグデータと前記蓄積された物品管理データとを比較するステップと、前記読み取った電子タグデータが前記蓄積された物品管理データ内に存在した場合そのデータを廃棄データとするステップと、前記読み取った電子タグデータが前記蓄積された物品管理データ内に存在しない場合そのデータを新規データとするステップと、を備えた請求項８記載の物品管理方法。
【請求項１０】
前記新規データを前記蓄積された物品管理データに追加蓄積するステップと、データの追加蓄積を行ったことを表示するステップと、を備えた請求項８または９記載の物品管理方法。
【請求項１１】
前記廃棄データを前記蓄積された物品管理データから削除または廃棄データ管理領域に移動するステップと、データ削除または廃棄データ管理領域に移動が行われたことを表示するステップを備えた請求項８から１０のいずれかに記載の物品管理方法。
【請求項１２】
前記タグデータ読み取り装置とは別に独立した電子タグデータ読み取装置を少なくとも一つ備えた請求項８から１１のいずれかに記載の物品管理方法。
【請求項１３】
前記独立した電子タグデータ読み取り装置で読み取った電子タグデータを廃棄データとして処理するステップを備えた請求項８から１２のいずれかに記載の物品管理方法。
【請求項１４】
廃棄データを検出した場合に、同一品または同等品の購入を促す内容を表示するステップを備えた請求項８から１３のいずれかに記載の物品管理方法。
【請求項１５】
電子タグデータ読み取り時または読み取り終了後に、読み取ったデータを一覧表示するステップを備えた請求項８から１４のいずれかに記載の物品管理方法。
【請求項１６】
読み取った電子タグデータに対応する物品の管理者または所有者を、入力するかまたは一覧表から選択するステップを備えた請求項８から１５のいずれかに記載の物品管理方法。
【請求項１７】
読み取った電子タグデータの詳細情報を前記一覧表とは別に表示するステップを備えた請求項８から１６のいずれかに記載の物品管理方法。
【請求項１８】
読み取った電子タグデータを基に関連ホームページにアクセスするステップを備えた請求項８から１７のいずれかに記載の物品管理方法。
【請求項１９】
前記蓄積された物品管理データをカテゴリー別に分類するステップと、前記分類された物品管理データをカテゴリー別一覧表に表示するステップと、を備えた請求項８から１８のいずれかに記載の物品管理方法。
【請求項２０】
次回購入時期を入力するステップと、前記入力された購入時期と現在の日時を比較するステップと、購入時期であることを表示するステップと、を備えた請求項８から１９のいずれかに記載の物品管理方法。
【請求項２１】
定期購入品として購入間隔を入力するステップを備えた請求項８から１９のいずれかに記載の物品管理方法。
【請求項２２】
インターネットを通じて自動発注するステップを備えた請求項１３から２１のいずれかに記載の物品管理方法。
【請求項２３】
少なくとも一つの関連ホームページから購入対象物品の値段情報を取得するステップと、比較条件を設定するステップと、前記取得した値段情報と前記比較条件を比較するステップと、条件を満たす一つのホームページを選別するステップと、選別されたホームページへ発注するステップと、を備えた請求項２２記載の物品管理方法。
【請求項２４】
発注に関する情報を表示するステップと、前記発注に関する情報に追加または変更を加えるステップと、発注許可を入力するステップと、を備えた請求項２２または２３記載の物品管理方法。
【請求項２５】
現在の日時と消費期限または賞味期限を比較するステップと、期限切れであることを表示するステップと、を備えた請求項８から２４のいずれかに記載の物品管理方法。
【請求項２６】
有線または無線で接続されたローカルネットワークを通じて関連機器に必要情報を送信するステップを備えた請求項８から２５のいずれかに記載の物品管理方法。
【請求項２７】
履歴表示の要求を入力するステップと、要求に従い履歴を表示するステップと、を備えた請求項８から２６のいずれかに記載の物品管理方法。
【請求項２８】
請求項８から２６のいずれかを備えた、コンピュータに実行させるための物品管理システム用プログラム。
【請求項２９】
請求項２８に記載したプログラムを記録した媒体。
【請求項３０】
請求項２８に記載したプログラムを実行する物品管理システム。
【発明の詳細な説明】
【０００１】
【発明の属する技術分野】
本発明は、電子タグデータの読み取り装置およびこれを用いた物品管理方法または物品管理システムまたは物品管理プログラムまたは物品管理プログラムを記録した媒体に関するものである。
【０００２】
【従来の技術】
現在国内において或いは主要先進国において、既に、プラスチックフィルム等からなるシート材料の片面にループコイルアンテナとこのループコイルアンテナに接続され、少なくともメモリを有するＩＣチップモジュールとが設けられた電池を内蔵しない電磁誘導方式の非接触電子タグが、物流分野、ＦＡ分野及び交通・レジャー分野等において使用され始めている。この形式の電子タグにおいては、ループコイルアンテナは、プラスチックフィルムに銅箔やアルミ箔をエッチングすることによって、あるいは、プラスチックフィルムに銀や銅のペーストをプリントすることによって形成されている。
【０００３】
これまでの電子タグは、製造コストが高くつき生産量も少ないことから、回収再利用が前提とされていたが、従来のバーコードとは比較にならない大容量の情報を内蔵できる便利さから、徐々に電子タグの使用量、生産量が増大し、それに伴って製造コストが低下してきている。近い将来、電子タグは大量に使用され、使い捨てられることが予想されているが、従来の電子タグは使い捨てとするには、まだコスト的に高くつくという欠点に加え、廃棄の際に電子タグに含まれる銅や銀等の重金属が環境に悪影響を及ぼすおそれがあり、環境汚染が社会問題となるおそれがある。
【０００４】
このような背景のもと、例えば、特許文献１に記載されているような電子タグが提案され、徐々に実用化されつつある。特許文献１に記載の電子タグは、低コストで製造でき、しかも廃棄の際に環境に悪影響を及ぼすことがない、使い捨て又は短期再利用型の電磁誘導方式の非接触電子タグとして構成されている。特許文献１に記載の発明によれば、図２３に示すように、シート材料２３０１の片面に、ループコイルアンテナ２３０２と、このループコイルアンテナ２３０２に接続され、少なくともメモリを有するＩＣチップモジュール２３０３とが設けられ、電磁誘導方式で非接触にてデータを読み書きする電子タグ２３１０において、ループコイルアンテナ２３０２が、炭素主体の材料から形成されているものであることを特徴としている。前記炭素主体の材料は炭素主体の導電性インク又は炭素繊維の細片を含む導電性ペーストからなり、前記ループコイルアンテナ２３０２が前記導電性インク又は前記導電性ペーストを前記シート材料２３０１の片面にプリントしたものからなっており、さらに、前記シート材料２３０１は紙又はプラスチックフィルム若しくはこれらの組み合わせからなっている。あるいは、前記炭素主体の材料は炭素繊維又は炭素繊維シートからなり、前記ループコイルアンテナ２３０２が前記炭素繊維又は前記炭素繊維シートを、接着剤を介して前記シート材料２３０１の片面に貼着したものからなっており、さらに前記シート材料２３０１は紙又はプラスチックフィルム若しくはこれらの組み合わせからなっている。
【０００５】
以上のように特許文献１に記載の発明は、炭素主体の材料を用いて簡単な方法でループコイルアンテナ２３０２を形成することで、電子タグを非常に低コストで製造でき、しかもループコイルアンテナ２３０２は銅や銀等の重金属を含まないので、電子タグ２３１０の廃棄の際に環境汚染を生じるおそれのない、使い捨て又は短期再利用型の非接触電子タグを低コストで実現する構成となっている。
【０００６】
また、一方で有機トランジスタを利用したＩＣチップが提案され、実用化に向けた技術開発が進められている。有機トランジスタを用いたＩＣチップは動作速度や集積度の点でこそ従来のＩＣチップと比べ劣っているが、製造の手軽さや非常に安価な製造コスト、チップコストといった点で注目されており、国内外の主要メーカーや研究機関で積極的な研究開発が進められている。
【０００７】
今後こういった技術を背景に、また大量の情報を利用しての在庫、流通、販売等の管理合理化手段として電子タグの爆発的な普及が見込まれる。
【０００８】
次に、従来の電子タグ読み取り装置としては、例えば、特許文献２に記載されているようなものが提案されている。
【０００９】
電子タグシステムは、マイクロ波を送受するスキャナと、ＩＣチップを埋め込んだ、内部に電源を持たない無給電の電子タグからなり、バーコードシステムと比較して通信距離が長く、また対象物に対して斜め方向からでも通信可能であり大容量である等の利点がある。これは、スキャナから電子タグに電力を供給してデータ通信を行う構成とすることで実現している。電子タグは、スキャナから送信されるマイクロ波を受信するとそのマイクロ波を整流して直流電源とし、この直流電源によりＩＣチップを動作させてメモリの記憶情報を読出し、その記憶情報をマイクロ波によりスキャナ側に送信する。
【００１０】
現在世の中に広く普及しているバーコードシステムと電子タグシステムの利点を有効に利用するために、両システムを組み合わせ、用途に応じて使い分けることが考えられる。しかし、この場合、バーコード読み取り用スキャナと電子タグ読み取り用スキャナを別個に用意しなければならず、非常に高価になってしまうという問題がある。
【００１１】
特許文献２に記載の発明は上記の課題を解決するためになされたもので、図２４に示す通り、電子タグ読み取り用のアンテナ素子２４０３に対してバーコード読み取り用のレーザ発光素子２４０８及びフォトダイオード２４０９を配置し、バーコードスキャナと電子タグ用スキャナとを１台のスキャナとして構成する。こうすることで、電子タグ読み取り用のスキャナ及びバーコード読み取り用のスキャナを独立して用意する場合と比較して安価に構成することができる。またバーコード及び電子タグを一つのスキャナで読み取ることができ、使用目的に応じて使い分けることができるという効果を得られる。
【００１２】
次に従来の在庫管理システムとしては、例えば、特許文献３に記載されているようなものが提案されている。近年、小売ショッピング、特に食糧ショッピングの分野においてはコンピュータまたはコンピュータを利用した情報処理技術が著しく普及してきた。スーパーマーケットでは、電子チェックアウト・ステーションで製品バーコードを走査することに加え、買い物客が品物を棚から取り出すときに製品バーコードを走査し購入する品物の記録を記憶するための、個人用ハンドヘルド・スキャナの設備を導入するようになってきている。買い物客が代金支払い場に到達すると、店頭に設置されたスキャナから、ショッピング・カートが店舗のコンピュータ・システムに自動的に読込まれ、購入された各品物の銘柄及び価格を即時表示し、代金支払い後のレシート印刷が行われる。このように、顧客がより速く代金支払い場を通過することが容易になってきている。スーパーマーケットはまた、インターネットの利用により、顧客が家庭内のコンピュータからインターネットを通してスーパーマーケットの商品カタログから任意の商品を選択する際に、電子ショッピング・リストまたは注文書を作成することも行っている。このリストは電子的にスーパーマーケットに送信され、スーパーマーケットのスタッフにより整理され、リストの内容に従って購入品が顧客の家庭に届けられる。しかしながらこれらの既存技術は、製品の在庫を迅速かつ容易に更新することや、顧客のショッピング・リストまたは注文書を迅速に発行することについては何もなされていなかった。
【００１３】
特許文献３に記載の発明は、図２５に示すように、製品コードにもとづく現在庫リストを記憶するメモリ２５４０と、システムへの製品コードを含む、購入品レシートの電子バージョンの入力に応答して、購入された製品を前記現在庫リストに追加する更新手段２５５０と、処分された製品のコードの電子指示に応答して、現在庫リストからそれらの製品を消去する消去手段２５５２と、現在庫リストを所定の在庫レベルと比較する比較手段２５５３と、こうした比較に応答して、置換を必要とする在庫品目を示す指示手段とを含む、在庫管理コンピュータ・システムについて開示している。コンピュータ・システムによる購入レシートの電子バージョンの使用は、在庫品の更新をスピードアップし、顧客が直接品目の選択及び処理に関わること無く、ショッピング・リスト２５４４を自動的に準備することを可能にする。
【００１４】
特許文献３に記載の発明は、スーパーマーケットなどの共通の業者から繰り返し購入されがちな、家庭内の日用品の在庫管理に効果を発揮する。例として、製品コードと製品銘柄間の相関関係が、顧客による購入品の電子レシートから生成され、電子メールまたはインターネットにより、電気回線を介して提供され、スマート・カード上に書込まれるか、或いは、顧客により持ち運ばれる小型コンピュータ装置内に直接記憶される。この相関関係をコンピュータ・メモリ内に記憶し、置換を必要とする品目の製品銘柄、及びそれらの製品コードを示すために使用する。相関関係のリストは顧客のコンピュータ内に保持され、定期的に更新されることが望ましいが、店舗により店舗自身の製品データベースからインターネットを介して提供される相関リストを使用することも可能である。使用される製品コードはバーコードであることが好ましい。家庭内のバーコード・スキャナは、消費によりまたは期限切れ品目の廃棄により処分された製品のコードを電子的に示す、最も便利な手段だからである。
【００１５】
このように特許文献３に記載の発明は製品の在庫を迅速且つ便利に更新し、ショッピング・リストの迅速な生成を可能にする。
【００１６】
【特許文献１】
特開２００２−７９９２号公報
【特許文献２】
特開２００１−５２１２３号公報
【特許文献３】
特開２０００−１７７８０８号公報
【００１７】
【発明が解決しようとする課題】
しかしながら特許文献２に示される従来の電子タグ読み取装置の構成は、店頭での電子タグデータ読み取りを前提にしたものであり、今後爆発的な普及が見込まれる電子タグの情報を家庭内で有効活用するには、不向きである。その理由として、電子タグ読み取装置を専用機として設置しなければならず不便である、または専用機として購入しなければならず余計な出費を強いられる、等が上げられる。
【００１８】
また特許文献３に示される在庫管理システムは、共通の業者との間では有効であるが、購入先が非常に多様化している現在においては運用が難しく、また効果についても、日用品等特定の品目に限られており、かつその管理項目も品目と品数による在庫管理或いは発注に限られており、限定的である。
【００１９】
【課題を解決するための手段】
前記従来の課題を解決するため、本発明の電子タグデータ読み取り装置及び物品管理システム、管理方法、管理プログラム、管理プログラムを記録した媒体は、コンピュータ用外部入力装置として広く普及しているマウス等ポインティングデバイスと電子タグ読み取り機能を一体化し、かつ読み取った電子タグデータをもとに物品管理を行うようにする。このようにすることで今後広く普及が見込まれる電子タグまたは電子タグに書き込まれた製品情報を家庭内において有効に活用し、効率的に物品管理が出来るようになり、利用者の著しい利便性の向上を図ることが可能となる。
【００２０】
【発明の実施の形態】
以下に、本発明の実施の形態について、図面を参照しながら説明する。
【００２１】
（実施の形態１）
図１は本発明の実施の形態１における電子タグデータ読み取り装置の図である。図１において１０１は電子タグ用送受信アンテナあり、１０２は送受信アンテナ１０１用アンテナ制御部であり、１０３は送受信アンテナ１０１から読み取られたデータを電子タグデータとして認識するための電子タグデータ認識部であり、１０４はマウスの移動方向と移動量を検出するためのマウス移動方向移動量検出部であり、１０５はマウス操作用のマウス用スイッチであり、１０６はマウス移動方向移動量検出部１０４及びマウス用スイッチ１０５から出力されるマウス操作情報を受け取り、処理するためのマウス操作データ認識部であり、１０７は電子タグデータ認識部１０３及びマウス操作データ認識部１０６から出力される信号をマウス用スイッチ１０５から出力される信号に応じて切り換えて出力する転送データ切り換え部であり、１０８は転送データ切り換え部１０７から出力されるマウス操作データまたは電子タグデータをコンピュータ本体１２０に転送するためのデータ転送部であり、１０９は物品に付設されかつ物品の情報が書き込まれた電子タグであり、１１０はマウスと一体化した電子タグ読み取り装置であり、１２０は電子タグ読み取り装置１１０が接続されたコンピュータ本体である。以上図１を用いて実施の形態１を説明する。また電子タグの構造或いは動作は従来の技術に前記した通りである。
【００２２】
電子タグ１０９は、電子タグ読み取り装置１１０から送信される電波を受信するとその電波を整流して直流電源とし、この直流電源により、内蔵のＩＣチップを動作させてメモリの記憶情報を読出し、その記憶情報を電波により電子タグ読み取り装置１１０に送信する。このため電子タグ読み取り装置１１０は電子タグ１０９に対して電波を送受信するためのアンテナを持つ必要がある。電子タグ用送受信アンテナ１０１はそのためのものであり、このアンテナ１０１を用いて電力供給またはデータ受信を行う。またこの電子タグ用送受信アンテナ１０１を送信機あるいは受信機として機能させるために制御を行わなければならないが、この制御をアンテナ制御部１０２が行う。次に受信した信号を電子タグ１０９からの情報として認識する必要があるが、この処理を電子タグデータ認識部１０３が行う。ここで電子タグ用送受信アンテナ１０１が受け取った信号が情報あるいはデータとして認識される。
【００２３】
次にマウス移動方向移動量検出部１０４でマウスの移動方向と移動量を検出する。この部分はトラックボールを用いたものや光学式のもの等既存のものでかまわない。マウス用スイッチ１０５はマウス操作用のものであり、通常一つまたは二つまたは三つ以上のボタンで構成されている事が、実施の形態１では二つ構成のもので説明する。次にマウス操作データ認識部１０６でマウス移動方向移動量検出部１０４及びマウス用スイッチ１０５から出力されるマウス操作情報を受け取り、現在のマウス操作がどのような状態にあるかを認識し、その結果をマウス操作データとしてデータ転送部１０８に出力する。マウスの操作に関する部分は既存の技術として公知であり、また本発明はここに特徴を持たせたものではないので、本明細書ではこれ以上の説明を行わない。
【００２４】
次に転送データ切り換え部１０７において、電子タグデータ認識部１０３からの出力信号及びマウス操作データ認識部１０６からの出力信号をマウス用スイッチ１０５から出力される信号に応じて切り換えて出力する。電子タグデータ認識部１０３からの出力に切り換わっている間は電子タグデータ読み取り装置として機能し、マウス操作データ認識部１０６からの出力に切り換わっている間は通常マウスとして機能する。またこの場合、転送データ切り換え部１０７を切り換えるためのマウス用スイッチ１０５の切り換え操作は通常のマウス操作とは異なる操作にする必要がある。通常のマウス操作の時に、使用者の意思に反して、マウス操作から電子タグデータ読み取り操作に切り換わらないようにするためである。通常のマウス操作とは異なる操作の例として、右クリックと左クリックを同時に行う操作がある。例えば右クリックボタン、左クリックボタンを同時に押し続けている期間、電子タグデータ読み取り機能に切り換える構成にすれば、電子タグ読み取り装置として機能させたい期間だけ右クリックボタン、左クリックボタンを同時に押し続ければ良く、そうでないときは通常のマウスとして操作する事が出来る。また本発明では右クリックボタン、左クリックボタンを同時に押し続けている期間、電子タグデータ読み取り機能に切り換える構成を説明したが、右クリックボタン、左クリックボタンを同時に一回押す毎に電子タグリーダ読み取り機能とマウス機能とを切り換える構成でもかまわない。また前記した操作以外に、例えば右クリックを２回で切り換える構成や、左クリックを３回或いはそれ以上押すことで切り換える構成、右クリックと左クリックを交互に行うことで切り換える構成などが上げられる。またクリックボタンが一つのマウスであれば、３回クリック或いはそれ以上のクリック回数で切り換える構成が上げられる。いずれにしても右クリックボタン、左クリックボタン、またはひとつのクリックボタン、または３個以上のクリックボタンを利用して電子タグデータ読み取り機能とマウス機能とを切り換える構成であれば、どんなものでもかまわない。またこれらクリックの間隔や回数、組み合わせを使用者が任意に指定、設定できる構成にする方が好ましい。
【００２５】
次に、データ転送部１０８において、転送データ切り換え部１０７から出力されるマウス操作データまたは電子タグデータをコンピュータ本体１２０に転送する。データ転送方式は有線、無線を問わない。またデータ転送部の動作は既存技術として公知であるので本実施の形態では詳述しない。
【００２６】
以上、実施の形態１によれば、電子タグ読み取り装置をマウスと一体化した構成とする事で、今後広く普及が見込まれる電子タグがもつ物品情報を物品管理に利用するための電子タグ読み取り装置を、省設置スペース、低価格で提供する事が可能となる。
【００２７】
（実施の形態２）
図２は本発明の実施の形態２における電子タグデータ読み取り装置の図である。図２において２０１は転送データ切り換え部２０２を切り換えるための切り換えスイッチであり、２０２は電子タグデータ認識部１０３からの出力信号及びマウス操作データ認識部１０６からの出力信号を切り換えスイッチ２０１から出力される信号に応じて切り換えて出力する転送データ切り換え部であり、２１０は切り換えスイッチを独立して備えた、マウスと一体化した電子タグ読み取り装置である。また図２において、図１と同じ構成については同じ符号を用い、説明を省略する。また、転送データ切り換え部２０２は転送データ切り換え部１０７と異なる番号にしているが、切り換えスイッチ２０１が独立して存在するために番号を変えているだけであり、動作は実施の形態１で説明した転送データ切り換え部１０７と同じであるので、説明を省略する。
【００２８】
以下図２を用いて実施の形態２を説明する。実施の形態２が実施の形態１と異なる点は、切り換えスイッチ２０１を独立して設けた点にある。このように独立して切り返えスイッチ２０１を設ける事で、使用者は、使用者の意思に反してマウス操作から電子タグデータ読み取りに切り換わることに気を取られる事無く、マウス操作に専念する事が出来るようになる。
【００２９】
また、切り換えスイッチ２０１は、一回押す毎に電子タグリーダ読み取り機能とマウス機能とを切り換える構成でも、押し続けている期間電子タグリーダ読み取り機能に切り換える構成でも、どちらでもかまわない。
【００３０】
以上、実施の形態２によれば、切り換えスイッチ２０１を独立して設ける構成とする事で、使用者の意思に反してマウス操作から電子タグデータ読み取りに切換わることに気を取られる事無く、マウス操作に、或いは電子タグデータ読み取り操作に専念する事が出来るようになり、操作性の向上を図る事が出来るようになる。
【００３１】
（実施の形態３）
図３は本発明の実施の形態３における電子タグデータ読み取り装置の図である。図３において３０１は電子タグデータ認識部１０３からの出力信号及びマウス操作データ認識部１０６からの出力信号をコンピュータ本体１２０に転送するデータ転送部であり、３１０は装置側で切り換えを行わない、マウスと一体化した電子タグ読み取り装置であり、１２０は電子タグ読み取り装置３１０が接続されたコンピュータ本体である。
【００３２】
また図３において、図１と同じ構成については同じ符号を用い、説明を省略する。
【００３３】
以下図３を用いて実施の形態３を説明する。実施の形態３が実施の形態１または実施の形態２と異なる点は、電子タグデータ認識部１０３からの出力信号及びマウス操作データ認識部１０６からの出力信号を切り換えない点にある。切り換えあるいはデータの取捨選択はコンピュータ本体１２０で行う構成とし、電子タグ読み取り装置３１０は随時マウス操作データと電子タグ読み取りデータを送信する。コンピュータ本体１２０は送られてくるデータを、コンピュータ本体１２０の処理内容に合わせて判断し、現在の処理内容が電子タグデータ取り込み状態にある時だけ、送信されるデータから電子タグ読み取りデータに相当するデータ或いは情報を取り込む。このようにマウス側で切り換えない構成とする事で、使用者は切り換え動作に気を取られる事無く、マウス操作あるいは電子タグ読み取り操作に専念する事が出来るようになる。
【００３４】
以上、実施の形態３によれば、マウス操作か電子タグ読み取り操作かを電子タグ読み取り装置側で切り換えない構成とする事で、使用者は切り換え動作に気を取られる事無く、マウス操作あるいは電子タグ読み取り操作に専念する事が出来るようになり、操作性の向上を図る事が出来るようになる。
【００３５】
また実施の形態１、実施の形態２、実施の形態３ではデータ転送部をマウス、電子タグで共用した構成としているが、それぞれ独立した転送形態でもかまわない。またデータ転送部は有線でも無線でもどちらでもかまわない。また、アンテナを送受信で共用する構成として説明したが、送信用アンテナと受信用アンテナを独立した構成としてもかまわない。そうする事でアンテナ制御の必要が無くなり、製造上或いは構造上のメリットが出てくる事もあるからである。
【００３６】
（実施の形態４）
図４は本発明の実施の形態４における電子タグデータ読み取り装置の図である。図４において４０１は電子タグデータ認識部１０３からの出力信号及びマウス操作データ認識部１０６からの出力信号をマウス用スイッチ１０５から出力される信号に応じて切り換えて出力する転送データ切り換え部であり、４０２はアンテナ制御部であり、４０３はワイヤレスマウス送信用アンテナと電子タグ用送受信アンテナを共用したワイヤレスマウス電子タグ兼用送受信アンテナであり、４１０はワイヤレスマウスと一体化した電子タグ読み取り装置であり、１２０は電子タグ読み取り装置４１０が接続されたコンピュータ本体である。また図４において、図１と同じ構成については同じ符号を用い、説明を省略する。
【００３７】
以下図４を用いて実施の形態４を説明する。実施の形態４が実施の形態１または実施の形態２または実施の形態３と異なる点は、マウスをワイヤレスとし、かつワイヤレスマウス用送信アンテナと電子タグ用送受信アンテナを共用した点にある。
【００３８】
電子タグ読み取り装置４１０は電子タグ１０９に対して電波を送受信するためのアンテナをワイヤレスマウス用の送信アンテナを用いて行う。ワイヤレスマウス電子タグ兼用送受信アンテナ４０３をマウス用送信機あるいは電子タグデータ用送受信機として機能させるために制御を行わなければならないが、この制御をアンテナ制御部４０２が行う。アンテナを電子タグデータ用送受信機として制御するための動作は実施の形態１で説明したアンテナ制御部１０２と同じであるので、説明を省略する。
【００３９】
次に受信した信号を電子タグ１０９からの情報として認識する必要があるが、この処理は実施の形態１で説明したように電子タグデータ認識部１０３が行う。アンテナ制御部４０２がアンテナ制御部１０２と異なる動作をする点は、ワイヤレスマウス電子タグ兼用送受信アンテナ４０３でマウスデータと電子タグデータを共通して送受信するため動作に合わせたデータの切り換えが必要になる点である。また図４ではワイヤレスマウス電子タグ兼用送受信アンテナ４０３が受け取った信号が一度転送データ切り換え部４０１を通って電子タグデータ認識部１０３に接続する構成で書いているが、これは共通して送受信したマウスデータと電子タグデータを転送データ切り換え部４０１で分離するためである。しかし、ワイヤレスマウス電子タグ兼用送受信アンテナ４０３からの信号を直接電子タグデータ認識部１０３に接続する構成としてもかまわない。
【００４０】
また、実施の形態４では転送データ切り換え部４０１の切り換えを実施の形態１と同じく、マウス用スイッチ１０５の操作で切り換える構成で説明したが、実施の形態２と同じく独立して切り換えスイッチを設ける構成としても良く、あるいは実施の形態３と同じく切り換えを行わず切り換えあるいはデータの取捨選択はコンピュータ本体１２０で行う構成としても良い。
【００４１】
以上、実施の形態４によれば、ワイヤレスマウスと電子タグ読み取り装置を一体化する構成とする事で、使用者は電波の届く範囲で自由に電子タグ読み取り装置を持ち運ぶ事が出来るようになり、操作性の向上を図る事が出来る。
【００４２】
また実施の形態１、実施の形態２、実施の形態３、実施の形態４では受信信号を電子タグ認識部１０３で情報またはデータとして認識する構成としたが、受信した信号をすべてコンピュータ本体１２０に転送し、コンピュータ側で情報またはデータとして認識させる構成としてもかまわない。そうする事でデータ認識部の必要が無くなり、製造上或いは構造上のメリットが出てくる事もあるからである。
【００４３】
また、マウスと一体化する構成で説明しているが、コンピュータ外部入力装置であればどの形式のポインティングデバイスでもかまわない。また、電子タグ１０９は内部電源を持たない受動型として動作説明を行ったが、内部電源を持つ能動型であってもかまわない。
【００４４】
（実施の形態５）
図５は本発明の実施の形態５における電子タグデータ読み取り装置を使用している状態の一例図である。図７、図８は読み取り動作時のモニタ表示の一例図である。図９は廃棄用にデータ読み取り動作をした時のモニタ表示の一例図である。図５において５０１はコンピュータ用モニタであり、５０２は購入品の一例としての紙パック牛乳であり、５０３は紙パック牛乳５０２に貼られた電子タグであり、５０４は購入品の一例としての胃腸薬であり、５０５は胃腸薬５０４に貼られた電子タグであり、５０６は購入品の一例としてのおもちゃのミニカーであり、５０７はおもちゃのミニカー５０６に貼られた電子タグであり、５０８は購入品の一例としてのカップアイスクリームであり、５０９はカップアイスクリーム５０８に貼られた電子タグであり、５１０は購入品の一例としての女性用ブラウスであり、５１１は女性用ブラウス５１０に貼られた電子タグである。また図５において、図１と同じ構成については同じ符号を用い、説明を省略する。
【００４５】
以上図５を用いて実施の形態５を説明する。なお実施の形態５は、実施の形態１で説明した電子タグ読み取り装置を物品管理システムの電子タグデータ入力装置として使用したものに関する。
【００４６】
まず使用者は、電子タグ読み取り装置１１０に備えられた右クリックボタンと左クリックボタンを同時に押す。この状態を維持する事で、実施の形態１で記述したように、電子タグデータ読み取り機能に切り換えられ電子タグ読み取り動作状態に入る。この時モニタ５０１には図７の表示がなされる。
【００４７】
次に、この状態で、購入品である紙パック牛乳５０２に電子タグ読み取り装置１１０をかざす。この場合の距離は電波の送受信が出来る範囲であれば良い。電子タグ読み取り装置１１０は電子タグ読み取り動作状態に入っているため電子タグ５０３に対し、内蔵された電子タグ用送受信アンテナ１０１を用いて電力供給用の電波を発信する動作を行っている。
【００４８】
次に電子タグ５０３は、電子タグ読み取り装置１１０から送信される電波を受信するとその電波を整流して直流電源とし、この直流電源により、内蔵のＩＣチップを動作させてメモリ内に蓄えられた紙パック牛乳５０２に関する記憶情報を読出し、その記憶情報を電波により電子タグ読み取り装置１１０に送信する。
【００４９】
次に電子タグ読み取り装置１１０は、内蔵された電子タグ用送受信アンテナ１０１を用いて電子タグ５０３から送信された電波を受信する。電波の送受信に関する制御は前記したようにアンテナ制御部１０２で行う。受信された電波は、電子タグデータ認識部１０３に信号として入力され、電子タグ５０３からの情報あるいはデータとして認識される。
【００５０】
次に、電子タグ読み取り装置１１０は電子タグ読み取り動作状態に入っているため、転送データ切り換え部１０７が電子タグデータ認識部１０３からの出力信号側に切り換えられており、データ転送部１０８において、転送データ切り換え部１０７から出力される電子タグデータをコンピュータ本体１２０に転送する。
【００５１】
次に、コンピュータ１２０は電子タグ読み取り装置１１０から送信される電子タグデータをデータ処理し、モニタ５０１に読み取り情報として表示する。これらの、読み取り動作を購入品全ての電子タグ情報を読み取るまで行う。読み取りが終了した時点で右クリックボタンと左クリックボタンを同時に押していた状態を中止する。こうする事で電子タグ読み取り装置１１０はマウス操作状態になり、電子タグの読み取りが終了した事をコンピュータ１２０が認識する。また、一連の読み取りはモニタ上に図８の表示のようになされる。
【００５２】
電子タグの読み取りは電波を用いた非接触型であり、電波の届く範囲であれば電子タグ読み取り装置１１０をかざした状態を継続したままで複数の電子タグを読み取る事も可能であるので、実施の形態５の例であれば、紙パック牛乳５０２、胃腸薬５０４、おもちゃのミニカー５０６、カップアイスクリーム５０８、女性用ブラウス５１０を一ヵ所にまとめておき、そこに対して電子タグ読み取り装置１１０をかざすことで電子タグ５０３、電子タグ５０５、電子タグ５０７、電子タグ５０９、電子タグ５１１を読み取る事も可能である。こうすれば電子タグデータの読み取りを一度の読み取り動作で済ますことができ、効率的である。また購入品を入れている買い物袋が充分に電波を通す素材のものであれば、買い物袋に入れた状態のままで電子タグデータを読み取る事も可能である。
【００５３】
ここまでは物品購入等によるデータ追加の時の説明である。次に、廃棄の時の動作について説明する。廃棄に関してもデータの読み取り動作は同様である。廃棄物品に前記と同様電子タグ読み取り装置１１０をかざし、電子タグデータを読み取る。読み取られたデータは前記と同様コンピュータ１２０に送信され、電子タグデータとして受け取られる。
【００５４】
次に、受け取ったデータを蓄積された過去データと比較し、データ削除あるいは廃棄データとして処理する。この過去データとの比較は、同一データが蓄積データ内にあるかどうかで廃棄か追加かを判断するために行うものであり、データ読み取りの際常に行う方が好ましい。あるいは読み取る前または読み取り後に、使用者が廃棄か追加かを指定する方法でもかまわない。また、廃棄物品に関するデータは廃棄データとして追加データと別に蓄積あるいは処理した方がデータの履歴を参照する場合に有効であり好ましいが、蓄積データからの削除でもかまわない。
【００５５】
あるいは削除品と同一品もしくは同等品を、インターネットを利用して購入する画面に自動的に進むように構成してもよい。インターネットを利用して物品を発注する場合は、関連ホームページにアクセスして発注する構成と、電子メールアドレス宛てに発注メールを送信する構成がある。またこの購入に関する動作や処理は、使用者が事前に設定できる構成としておく方が好ましい。またデータ処理の前に、使用者に処理内容が正しいかどうかを確認する表示、または指示の入力を促す表示、または指示内容の入力を行うように構成した方が望ましい。これら一連の読み取りによる処理はモニタ上に図９のように表示される。
【００５６】
以上、実施の形態５を実施の形態１で説明した電子タグ読み取り装置を用いて説明したが、実施の形態２または実施の形態３または実施の形態４を用いたものであってもかまわない。この場合は電子タグ読み取り装置１１０の形態、あるいはコンピュータ１２０との接続状態が異なるだけである。また図５では電子タグ読み取り装置１１０のクリックボタンを左右の２つで書いているが、一つのクリックボタン、或いは３つ以上のクリックボタンでもかまわない。
【００５７】
また図７から図９に示した表示は実施例としての一例であり、表示内容、表示デザインを限定するものではない。表示内容、表示デザインは本発明の効果を実現できるものであれば、どんなものでもかまわないし、使用者が自由に設定できるようにしても良い。
【００５８】
（実施の形態６）
図６は本発明の実施の形態６における電子タグデータ読み取り装置を使用した物品管理システムに関する一例図である。図６において６０１は使用済みの紙パック牛乳であり、６０２は紙パック牛乳６０１に貼られた電子タグであり、６０３はごみ箱であり、６０４は廃棄データ読み取り専用としてごみ箱に独立設置された電子タグ読み取り装置である。また図６において、図１、図５と同じ構成については同じ符号を用い、説明を省略する。
【００５９】
以下図６を用いて実施の形態６を説明する。本実施の形態６では前記したマウス一体型の電子タグ読み取り装置とは別の独立した電子タグ読み取り装置を用いる。この独立した電子タグ読み取り装置６０４の基本的な構造、動作は前記した電子タグ読み取り装置１１０からマウス動作を省いたものと同じであるので説明を省略する。また電子タグ読み取り装置６０４はコンピュータ本体１２０と有線接続であってもかまわないが、無線で接続されている方が好ましい。また内部に動作用電源を持つ構成である方が好ましいが、有線接続であれば、コンピュータ本体１２０から電源を供給される構成でもかまわない。
【００６０】
まず、中身を飲み終わった紙パック牛乳６０１は使用済みとしてごみ箱６０３に廃棄される。次にごみ箱に設置された電子タグ読み取り装置６０４は紙パック牛乳６０１に貼られた電子タグ６０２を検出し、データを読み取る。電子タグ読み取り装置６０４は独立した専用読み取り装置であるので、常に読み取り動作をするものでもかまわないが、ごみ箱にものが廃棄されたときだけ読み取り動作を行う構成でもよい。この構成にする事で消費電力を削減することが可能になるからである。この場合は、ごみ箱のふたやふた開閉用のペダルに動作オンオフを連動させる構成や、微弱な電波や赤外線でごみ箱にものが捨てられたかどうかを検出するセンサーを連動させ、ものが捨てられたと判断したときだけ読み取り動作をする構成がある。
【００６１】
次に、電子タグ読み取り装置６０４で読み取られた電子タグ６０２のデータがコンピュータ本体１２０に有線または無線で送信される。このとき、常に読み取りデータを送信する構成でもかまわないが、コンピュータ本体が電源オフ状態でデータを受け付けない場合に備え、内部にデータを蓄積し、データ送信可能になった時点で、蓄積データを送信する構成にした方が好ましい。常に送信する構成であれば、コンピュータ本体１２０に電源が常に入っている構成とするか、あるいはコンピュータ本体１２０のデータ受け取りと蓄積に必要な一部の回路は常に動作させる構成であることが好ましい。
【００６２】
次に、コンピュータ本体１２０は受け取ったデータを蓄積された過去データと比較し、データ削除あるいは廃棄データとして処理する。廃棄データとして処理した方がデータの履歴を参照する場合に有効であり好ましいが、蓄積データからの削除でもかまわない。あるいは、電子タグ読み取り装置６０４を廃棄専用の読み取り装置とする事で、電子タグ読み取り装置６０４から送られてくるデータは常に廃棄データであるとして処理する事も出来る。好ましくはこれらの切り換えを使用者が自由に設定できる構成とする方がよい。また廃棄物品に関する表示は、物品が捨てられたとき、またはコンピュータ本体に電源が入れられたとき、または任意の決められた時間、または使用者が確認要求の入力を行ったとき、等自由に設定できる構成とした方が好ましい。
【００６３】
（実施の形態７）
図１０は本発明の実施の形態７における電子タグデータ読み取り装置を用いた物品管理方法の処理ステップを示したフローチャートである。図１０において１００１は電子タグ読み取り開始の判断ステップであり、１００２はデータ読み取り、読み取りデータ表示ステップであり、１００３は追加データの判断ステップであり、１００４は蓄積データ１００９との比較および判断ステップであり、１００５は読み取りデータの一覧表示と管理者等の関連データ入力ステップであり、１００６はデータをストアするステップであり、１００７は詳細データ表示の要求を判断するステップであり、１００８は詳細データ表示要求の選択項目の詳細データ表示とカテゴリ別の表示ステップであり、１００９は蓄積データであり、１０１０はインターネットを通じて関連ホームページ（ホームページを以降ＨＰと表示する）に接続する要求を確認するステップであり、１０１１は要求に従い関連ＨＰに接続するステップであり、１０１２は接続先のＨＰから必要データの入手と入手データの表示または必要データの登録を行うステップであり、１０１３はローカルネットワークに接続されているか確認するステップであり、１０１４はデータの保存要求を確認するステップであり、１０１５は要求に従いデータを保存するステップであり、１０１６はローカルネットワークを通して関連機器へのデータ転送要求を確認するステップであり、１０１７は要求に従い関連機器へデータ転送を行うステップであり、１０１８は判断結果に従い廃棄データ処理画面へ進むステップであり、１０１９はデータ廃棄可否の確認ステップであり、１０２０は関連データ廃棄処理ステップであり、１０２１は廃棄データとして蓄積されたデータであり、１０２２は廃棄物品と同一品もしくは同等品のインターネット購買要求を判断するステップであり、１０２３は関連ＨＰへの接続ステップであり、１０２４は購入に必要な処理を行うステップである。
【００６４】
図１１は電子タグデータ読み取り装置を用いた物品管理システムであるコンピュータがローカルネットワークと外部ネットワークに接続された状態を表した図である。図１１において１２０は電子タグデータ読み取り装置が接続された物品管理システム用コンピュータであり、１１０１はローカルネットワークに接続された冷蔵庫であり、１１０２はローカルネットワークに接続された洗濯機であり、１１０３はローカルネットワークに接続されたオーブンレンジであり、１１０４はローカルネットワークに接続されたエアコンであり、１１０５はローカルネットワークに接続されたビデオであり、１１０６はローカルネットワークに接続されたＤＶＤであり、１１０７はローカルネットワークに接続されたデジタルテレビであり、１１１０は各種ネットワーク対応家電が接続されたローカルネットワークであり、１１２０は物品管理システム用コンピュータ１２０が接続されている外部ネットワークである。
【００６５】
以下図１０と図１１を用いて実施の形態７を説明する。まず電子タグ読み取り開始の判断ステップ１００１において、電子タグデータ読み取り開始かどうかの判断が行われる。判断は実施の形態１から４で記述した通り、左右同時クリックで、あるいはその他の使用者が設定した読み取り開始指示で行われる。次にステップ１００２において電子タグデータが読み取られ、電子タグ読み取りデータが実施の形態５で記述したように、あるいはその他使用者が設定したデザインまたは表示内容で表示される。次に追加データの判断ステップ１００３で追加読み取りデータの有無が判断される。ここで前記左右同時クリック、あるいはその他の使用者が設定した読み取り開始指示が終了すれば読み取り終了となる。または読み取り終了の指示で終了する構成でも、あるいは一定時間読み取りが無い事で読み取り終了と判断する構成でもよい。
【００６６】
次に、判断ステップ１００４において蓄積データ１００９との比較が行われる。読み取りデータが蓄積データ１００９内データのいずれかと一致すれば、過去に一度入力されたものであり、今回の読み取りは廃棄のためであると判断できるので、廃棄データとして処理するステップ１０１８に移る。また実施の形態６で説明したように廃棄専用の読み取り装置からの入力であれば、判断ステップ１００４を飛ばして廃棄データとして処理するステップ１０１８に移る構成にしてもよく、あるいはデータ読込み前または読込み中または読込み後に廃棄処理として指定する事で廃棄データ処理ステップ１０１８に移る構成でもよい。廃棄処理でなければ追加処理として次のステップ１００５に進む。
【００６７】
次に、ステップ１００５において読み取りデータの一覧表示を行い、読み取りデータに関連する物品の管理者または所有者等の関連データを入力する。管理者名または所有者名はその都度入力する構成でも何ら差し障りはないが、好ましくは事前に登録しておいた管理者一覧から選択する構成にした方が入力の手間が省けて、効率的である。また読み取りデータの一覧表示は物品名、価格、取得日、賞味期限または消費期限、管理者、保管先、保管方法または保存温度といった必要情報のみを表示するようにし、さらに細かな詳細情報は選択によって別表示する構成とした方が好ましい。これは読み取った物品数が多い場合一度に表示できる表示範囲に限りがあるため、表示が困難になったり、文字サイズが小さくなるなど読みにくくなったりすることを避けるためである。また買い物等から帰ってきて購入物品を仕分けする場合などは一覧表示情報は必要最低限にとどめた方が仕分けする人も情報が見やすく全体を把握しやすいからである。さらに詳細な情報、例えば成分や添加物といった情報は詳細を知りたい物品を選択し、別表示にする構成にした方が操作性、管理の容易さといった点でも好ましい。また読み取り終了後に一覧表示する構成で説明したが、読み取り中に一覧表示する構成でもかまわない。この場合は読み取る毎に一覧表に追記される構成になる。
【００６８】
次に、ステップ１００６で読み取りデータまたは入力データを所定の記憶領域にストアする。このデータストアはデータ読み取りステップ１００２においても毎読込み時行われる構成とした方が好ましい。
【００６９】
次に、ステップ１００７において読み込んだデータの詳細データ表示の要求を判断する。使用者は表示されている一覧表の中から、詳細情報あるいはカテゴリ情報の知りたい項目を選択し、選択項目に応じて次のステップ１００８での処理が決定される。
【００７０】
次にステップ１００８はステップ１００７の結果に従って処理内容が決定される。処理内容は大きく詳細データ表示要求の選択項目の詳細データ表示とカテゴリ別の表示である。例えば使用者がステップ１００７において一覧表の中から物品名を選択した場合、使用者の要求する品目に関する詳細データを表示する。詳細データの例としては、食品であれば原材料、添加物、産地、カロリー、成分等であり、衣料であれば生地の成分、サイズ、生地の生産地、製造地、洗濯に関する注意、縮みや色落ちに関する注意等であり、薬品であれば副作用、成分、服用上の注意事項等である。これらは一例としてあげただけでありこの表示内容に限定するものではなく、一見で全体が把握できる一覧表と、一覧表に表示していない情報の詳細表示とに分ける構成であればよい。
【００７１】
またカロリー制限や塩分制限等食事内容やアレルギー等で使用するものの構成成分に制限を設けなければならない人のために、詳細情報と事前に入力した制限内容を比較し、注意を促す表示を行う構成にすることで、さまざまな制限に気を使わなければならない人にとって、さらに使い勝手の向上を図る事ができる。
【００７２】
使用者がステップ１００７において一覧表の中から保存先名を選択した場合、使用者の要求する保存先に関するカテゴリ別データを表示する。この時ステップ１００９で蓄積されたデータから必要関連情報を読み出す。カテゴリ別データの例としては、冷蔵庫を選択した場合であれば冷蔵、冷凍、パーシャル等保管先別に、または購入日別に、または賞味期限（消費期限）別に、表示する。たんすを選択した場合であれば、所有者別、シーズン別、上着か下着かといった種類別、に表示する。薬箱を選択した場合は、症状別、服用方法別、に表示する。これらは一例としてあげただけでありこの表示内容に限定するものではなく、読込み時に一見で全体が把握できる一覧表と、一覧表の表示からカテゴリ別の表示が指定できる構成であればよい。またカテゴリとしては前記保管先以外に購入先、所有者、賞味期限（消費期限）、購入日、等が上げられるがこのカテゴリに限定するものではない。さらにカテゴリのひとつとしての家計簿に購入日、購入金額等の情報を利用する方法もある。またカテゴリ別に表示されている場合でも、使用者が詳細を知りたい品名を選択する事で詳細表示を行う構成とした方が好ましい。またこれらの表示は切り換えて表示しても、選択に応じて表示画面を開く構成にしてもよいが、使用者が設定できる構成にしておく方が好ましい。またカテゴリ別表示の時の表示内容は使用者が設定できる構成にしておく方が好ましい。
【００７３】
次に、ステップ１０１０においてインターネットを通じて関連ＨＰに接続する要求を確認する。具体的には、ステップ１００８で表示された詳細情報以上の詳しい情報を知りたい場合、あるいは購入商品の関連商品に関する情報を知りたい場合、あるいは購入商品がユーザー登録対象商品である場合等、使用者の要求の一部あるいは全部を満足するための関連ＨＰ接続要求を確認するためのステップである。ここで関連ＨＰへの接続要求を行った場合は、ステップ１０１１に移行し、電子タグから読み取った情報をもとに関連ＨＰに接続を行う。関連ＨＰ接続後は、ステップ１０１２において、必要データの入手、入手データの表示と蓄積、あるいは個人データ等の必要データを送信する事でユーザー登録等を行う。個人データの送信については事前に登録した内容を自動送信する構成にしておけば入力の手間が省け効率的である。またステップ１０１０、ステップ１０１１、ステップ１０１２の全部または一部を省略するように使用者が設定出来るように構成してもよい。
【００７４】
次に、ステップ１０１３でローカルネットワークに接続されているか確認し、接続されていればステップ１０１６に、接続されていなければステップ１０１４に移行する。しかし、ローカルネットワーク接続が確定している場合、ステップ１０１３を省略してステップ１０１６に行く構成にしてもよく、またローカルネットワークに接続していないことが確定している場合、ステップ１０１３を省略してステップ１０１４に移行してもよい。
【００７５】
次に、図１１のようにローカルネットワークに各種対応機器が接続されている場合、ステップ１０１６で関連機器へ必要情報を転送するかどうかの確認を行う。確認方法としては、送信先の表示、送信データの表示、データ送信の可否入力要求表示、等である。また表示内容が使用者の要求と異なる場合は修正入力が出来る構成とする。次にステップ１０１７で関連機器へ関連データを送信する。例として、冷蔵あるいは冷凍食品であれば、読み取った電子タグデータをもとに食品名、数量、保存温度等の必要データを冷蔵庫１１０１に送信する、あるいは調理用食材であれば、オーブンレンジ１１０３に食品名、数量、重量、加熱温度や加熱時間等の調理方法、等の必要データを送信する、等である。またこれらの表示内容や送信データは実施例としての一例であり、表示内容、送信内容を限定するものではない。表示内容、送信内容は本発明の効果を実現できるものであれば、どんなものでもかまわない。あるいは使用者が自由に設定できるようにしてもよい。またステップ１０１６、ステップ１０１７の全部または一部を省略するように使用者が設定出来るように構成してもよい。ここでローカルネットワークは、各種提案され実施されている有線、無線の共通規格のものでかまわない。
【００７６】
次に、ステップ１０１４においてデータの保存要求を確認する。ここでＹＥＳが入力さればステップ１０１５において保存し、一連のデータの全部または一部が蓄積データ１００９に新規蓄積データとして保存され、ＮＯであれば保存されずに終了する。あるいは、ステップ１０１４を省略し、新規データの読込みやデータの廃棄等蓄積データ１００９または廃棄データ１０２１に対して何らかの変更が加えられる場合は、使用者への確認無しに蓄積データ１００９または廃棄データ１０２１に対しデータ保存が行われる構成にしてもよい。
【００７７】
次に、前記ステップ１００４の判断結果が一致であった場合、ステップ１０１８において廃棄データ処理画面が表示され、ステップ１０１９でデータ廃棄の可否が判断される。具体的には廃棄データが表示され、使用者の入力を促す内容が表示される。ここで廃棄可否の入力要求に対し、ＮＯの入力であれば、ステップ１００１に移行し次の入力を待つか、あるいはステップ１０１４に移行し、データ保存の判断ステップに移行する。ＹＥＳであれば、ステップ１０２０に移行し、データの廃棄処理が行われる。データ廃棄の具体的な処理としては蓄積データ１００９から廃棄データ１０２１へデータを移動する。こうする事でデータを廃棄した事になり、また履歴を残す事が可能となる。この方法以外にも、蓄積データ１００９の該当データの残量を０にする、蓄積データ１００９の中で該当データに対し廃棄のタグをつける、等データが廃棄データとして処理され、履歴が残る方法であればどのような構成でもかまわない。
【００７８】
次に、ステップ１０２２において、廃棄物品と同一品もしくは同等品のインターネット購買要求を判断する。関連ＨＰを通して同一品または同等品を購入する場合はＹＥＳの入力を行う。ＮＯであればステップ１０１４に移行する。ＹＥＳであればステップ１０２３で関連ＨＰへの接続が行われる。接続に際しては電子タグから読み取った情報をもとに関連ＨＰに接続を行う。あるいは事前に登録しておいた物品購入用のＨＰに接続する構成でもよい。次にステップ１０２４において購入に必要な処理を行う。具体的には、購入商品の指定、数量の指定、配送先の指定、代金支払いに関するデータ送信等である。購入に際しての個人データの送信については事前に登録した内容を自動送信する構成にしておけば入力の手間が省け効率的である。またこの購入に関する動作や処理は、使用者が事前に設定できる構成としておく方が好ましい。またデータ処理の前に、使用者に処理内容が正しいかどうかを確認する表示、または指示の入力を促す表示、または指示内容の入力を行うように構成した方が望ましい。またステップ１０２２、ステップ１０２３、ステップ１０２４の全部または一部を省略するように使用者が設定出来るように構成してもよい。
【００７９】
また、これらの表示の例としては実施の形態５において図９を用いて説明したような構成があげられるが、この内容に限定するものではなく、表示内容、送信内容は本発明の効果を実現できるものであればどんなものでもかまわない。あるいは使用者が自由に設定できるようにしても良い。
【００８０】
（実施の形態８）
図１２は本発明の実施の形態８における前記一覧表の一例図である。図１３と図１４は本発明の実施の形態８における前記一覧表上での管理者設定の一例図である。
【００８１】
以下図１２、図１３、図１４を用いて実施の形態８を説明する。電子タグデータ読み取り中又は読み取り後、前記一覧表は図１２のように表示される。この時の表示内容は実施の形態７で前記したように、一見で読み取り物品の全体像が把握できるように表示項目を絞った方が好ましい。
【００８２】
次に、管理者の入力について説明する。読み取った物品の所有者または管理者を設定する場合、図１２の一覧表内に示す通り管理者の項目に管理者名を入力する。この時名前を直接入力する構成でもかまわないが、好ましくは図１３に示すように、一覧表から選択する構成の方が入力の手間が掛からず、効率的である。図１３では事前に「お父さん、お母さん、和恵、太郎、おじいちゃん」の５名を登録しておいた場合の例を示す。ブラウスの管理者を「お母さん」に設定する場合、ブラウスの管理者欄をクリック等の入力操作で選択すると図１３に示すように前記した５名分の一覧表が示される。この中から「お母さん」を選択する事で、図１４に示すようにブラウスの管理者として「お母さん」が登録される。
【００８３】
（実施の形態９）
図１５は本発明の実施の形態９における前記一覧表の一例図である。図１６は本発明の実施の形態９における詳細情報の表示の一例図である。以下図１５と図１６を用いて実施の形態９を説明する。
【００８４】
前記一覧表は前記した通り、一見で読み取り物品の全体像が把握できるように表示項目を絞っており、電子タグ読み取り情報の全てを表示していない。読み取り物品のうち、「牛乳」の詳細情報を表示したい場合、図１５に示すように「牛乳」の欄を選択する。この一覧表表示時に、使用者に分かりやすい場所に、クリック等の入力操作で選択する事で知りたい項目についての詳細情報が表示される旨の告知文を表示する事が望ましい。図１５では例として一覧表の枠外に「詳細情報を知りたい項目をクリック」という一文を表示している。
【００８５】
次に選択された結果に従い、図１６に示すように詳細情報を表示する。ここでは例として「乳脂肪分、カルシウム」といった成分と、エネルギー量、殺菌法、製造元、商品名を表示している。これら表示内容は電子タグデータから読み取った情報で構成される。
【００８６】
ここで、使用者が更に詳しい情報を取得できるように、あるいはユーザー登録が必要な物品に関してはインターネットを利用したユーザー登録が出来るように、電子タグから読み取った情報をもとに関連ＨＰにアクセスするかどうかの要求入力を促がす表示、または関連アドレスに電子メールを送信するかどうかの要求入力を促す表示を行うようにしてもよい。図１６では例として、「ＨＰにアクセスしますか？」という表示を行い、使用者が「ＮＯ」と入力している画面を示している。「ＹＥＳ」を入力すれば関連ＨＰに接続するために、次のステップに進み、しかるべき処理を行う。
【００８７】
（実施の形態１０）
図１７は本発明の実施の形態１０における前記一覧表の一例図である。図１８は本発明の実施の形態１０における詳細情報の表示の一例図である。図１９は本発明の実施の形態１０における詳細情報の表示画面で定期購入に関する入力表示の一例図である。以下図１７、図１８、図１９を用いて実施の形態１０を説明する。
【００８８】
一覧表は前記した通り、一見で読み取り物品の全体像が把握できるように表示項目を絞っているが、その中で保管先または管理先に関する表示を行うようにした方が好ましい。例として、図１７では読み取った物品の保管先をそれぞれ表示している。この保管先は前記管理者の入力と同様、事前に登録した保管先一覧から選択する、あるいは直接入力という構成でもよいが、読み取った電子タグの情報をもとに事前に登録した保管先から自動で選択し表示する構成にした方が入力の手間が省け効率的である。もちろん自動選択が判断を誤る場合を想定し、保管先の修正が出来るようにしておく方が好ましい。
【００８９】
次に、読み取り物品のうち、「消化薬」の保管先である「薬箱」の詳細情報を表示する例を示す。図１７に示すように「薬箱」を選択すると図１８に示すように「薬箱」に関する一覧表が表示される。ここでは一見で「薬箱」で管理されている薬の全体像が把握できるように表示項目を絞って表示する事が望ましい。薬の場合使用期限や服用に関する注意事項あるいは効能が使用者の最も知りたい情報であるので少なくともこれらの情報は一覧表に表示する事が好ましい。さらに使用期限が切れている薬に関しては、「期限切れ」を使用者に知らせる表示を行う事が好ましい。図１８では例として、「○×頭痛薬」の使用期限が切れている事を注意事項の欄で「期限切れです！」として表示している。またこの詳細情報としての表示内容についてさらに詳しい情報を知りたい場合はその項目を選択する事で詳細情報表示が行える構成にできることは実施の形態９で前記した通りである。
【００９０】
また登録された電子メールアドレスから何らかのお知らせ情報が届いた場合、図１８、図１９の「××目薬」の注意事項に「メーカーからのお知らせメール受信」のように使用者にはっきり分かるように表示する構成とした方が好ましい。これは、しばしばメーカーからの連絡事項として、薬の副作用や食品の無認可添加物等の消費者にとって重要な情報、あるいは懸賞や利用ポイントに関する連絡等利用者にとって関心の高い情報に関する内容が含まれているからである。また図１８、図１９では注意事項の欄に上書きするかたちで表示する構成を示したが、使用者に分かり易いところであればどこに表示してもかまわない。
【００９１】
次に、定期購入の入力について説明する。読み取った薬が定期的に消費される場合、定期購入の設定を行う事で物品の在庫切れや買い忘れを防止する事が可能となる。薬に限らず、例えばお米や晩酌用の酒類、コンタクトレンズ用洗浄保存液、トイレ用品、洗顔用品、等定期的に消費され購入する必要があるものについては、定期購入品であることを入力することで、入力から一定期間毎に次回購入時期であることを表示し、買い忘れを防止することができる。図１８の例で説明すると、「○△ビタミン剤」を二ヶ月で消費する家庭の場合、最初の登録時に「二ヶ月毎」に定期購入することを登録する。登録結果が図１８の「定期購入」欄の「２ヶ月毎」となる。こうすることで、登録から二ヶ月毎に定期的に「○△ビタミン剤」の購入時期であることを表示する。あるいは、インターネットを通じて関連ＨＰまたは電子メールアドレスに自動で発注するように登録すれば、登録されたＨＰ、または登録された電子メールアドレスに定期的に必要事項を送信する構成とすれば、定期的に品物が発送され、さらに手間を省くことが出来る。
【００９２】
表示時期または発注時期に関しては、購入や入手に関するタイムラグを考慮に入れて、「○△ビタミン剤」が切れる可能性があるきっちり二ヶ月後とせずに次回購入時期の数日前に表示を始める、または発注を行うようにする方が好ましい。さらに前記「数日前」は使用者が設定できる構成とした方がより好ましい。表示後、追加購入による登録があれば、表示を止める構成とした方が好ましい。
【００９３】
また自動発注については、インターネットを利用して自動で最安値情報を取得し、その業者に発注する、または、あらかじめ入力しておいた設定金額以下で業者をピックアップし、その中の適当な業者に発注する、というようにしておけば、さらに出費を抑えることもできる。これら購入に関する動作や処理は、使用者が事前に設定できる構成としておく方が好ましい。またデータ処理の前に、使用者に処理内容が正しいかどうかを確認する表示、または指示の入力を促す表示、または指示内容の入力を行うように構成した方がより好ましい。
【００９４】
定期購入期間の入力の具体的な例について、図１９の例で説明する。新規追加の「消化薬」を一ヶ月毎の定期購入で登録する場合、まず「消化薬」の「定期購入」欄をクリック等の入力操作で選択する。次に図１９に示すように期間別の一覧が表示される。その中から「１ヶ月毎」を選択する。こうする事で購入日あるいは定期購入入力日を基準に一ヶ月毎の定期購入が設定される。または定期購入の基準日を設定できる構成としてもよい。これら入力は直接入力する構成でもかまわないが、一覧表から選択する構成の方が入力の手間が掛からず、効率的である。またこれら表示内容、基準日の設定、入力項目、選択内容については使用者が設定できる構成とした方が好ましい。
【００９５】
（実施の形態１１）
図２０は本発明の実施の形態１１における前記一覧表の一例図である。図２１は本発明の実施の形態１１における詳細情報の表示の一例図である。図２２は本発明の実施の形態１１における詳細情報の表示画面でネットワーク接続機器にデータを送信する場合の一例図である。以下図２０、図２１、図２２を用いて実施の形態１１を説明する。
【００９６】
実施の形態１１では、詳細情報表示として「たんす」を選択した場合について説明する。まず、読み取り物品のうち、「ブラウス」の保管先である「たんす」をクリック等の入力操作で選択する。選択により管理者と使用時期で限定された「お母さんのたんす（冬物）」に関する詳細情報が、図２１に示すように一覧表として表示される。ここでは一見で「お母さんのたんす（冬物）」で管理されている服の全体像が把握できるように表示項目を絞って表示する事が望ましい。服の場合、購入日や色、素材、洗濯に関する注意事項が使用者の最も知りたい情報であるので少なくともこれらの情報は一覧表に表示する事が好ましい。さらに洗濯回数についても表示を行う事が好ましい。また購入価格、購入先についての表示がなされる場合、プレゼント品については「プレゼント」として登録、表示され、更に詳細情報として「誰からのプレゼントか」が表示される構成とした方がより好ましい。
【００９７】
なお、ここでは管理者と使用時期で「たんす」を限定したが、この限定要件は使用者が設定できる構成とする方が好ましい。またこの詳細情報としての表示内容についてさらに詳しい情報を知りたい場合はその項目を選択する事で詳細情報表示が行える構成にできることは実施の形態９で前記した通りである。また洗濯回数を選択した場合、洗濯日の履歴表示を行う構成とすると、いつ洗濯したかが速やかに把握でき、好ましい。
【００９８】
次に、ネットワーク接続機器にデータを送信する場合について説明する。洗濯に関する情報を電子タグから読み取った場合、または関連ＨＰから取得した場合、ネットワーク接続機器として実施の形態７で前記したように洗濯機１１０２がローカルネットワーク１１１０に接続されていれば、この洗濯に関する情報を洗濯機１１０２に送信する事で、その衣類に適した洗濯を行う事が出来る。
【００９９】
例として、図２２を用いて「○△セーター」を洗濯機１１０２で洗濯する場合を説明する。まず、「○△セーター」の「洗濯に関する注意」の欄をクリック等の入力操作で選択する。この場合「洗濯に関する注意」の欄には「ぬるま湯、手洗い、陰干し」と表示されているが、この洗濯方法に関する情報が「洗濯機に洗濯情報を送る」の下に表示された「−＞ＹＥＳ」を選択する事で、洗濯機１１０２に具体的な洗濯制御方法としてデータ送信される。乾燥機一体型の洗濯機であれば、同時に乾燥に関する具体的な制御方法がデータ送信され、送信されたデータに基づき「○△セーター」の洗濯が行われる。乾燥機が別体であり、かつローカルネットワーク１１１０に接続されたものであれば、必要な時期に乾燥に関する具体的な制御方法として別途データ送信される。あるいは使用者の乾燥機へのデータ送信要求がなされた時点でデータ送信される。
【０１００】
もちろん、このネットワーク接続機器に関するデータ送信は例として洗濯機１１０２を上げたに過ぎず、例えば調理に関するデータをオーブンレンジ１１０３に送信したりと、ローカルネットワーク１１１０に接続され、かつ電子タグに関連して取得した情報を送信する事で使用者の便宜を図れるものであればどんなものでもかまわない。また、詳細情報表示時に、使用者に分かりやすい場所に、クリック等の入力操作により選択する事でネットワーク接続機器にデータを送信する旨についての表示を行う事が望ましい。図２１、図２２では例として一覧表の枠外に「ネットワーク接続機器にデータを送りたい項目をクリック」という一文を表示している。
【０１０１】
図には示していないが、「一覧表に戻るか、または終了する」といった前記した以外の次のステップに進むための要求入力を促す表示を行うようにする方が好ましい。なお、これらの要求入力に従い次の処理画面に進む事は言うまでもない。
【０１０２】
また、図１２から図２２に示した表示は実施例としての一例であり、表示内容、表示デザインを限定するものではない。表示内容、表示デザインは本発明の効果を実現できるものであれば、どんなものでもかまわないし、使用者が自由に設定できるようにしても良い。また一連の説明を家庭内での利用を前提に行ったが、業務において利用する構成としてもかまわない。
【０１０３】
【発明の効果】
以上のように、本発明の電子タグデータ読み取り装置及び物品管理システム、管理方法、管理プログラム、管理プログラムを記録した媒体によれば、コンピュータ用外部入力装置として広く普及しているマウス等のポインティングデバイスと電子タグ読み取り装置を一体化する事で、今後爆発的な普及が見込まれる電子タグの情報を有効活用出来るようになる。また電子タグ読み取り装置を専用機として設置する場合と比較し、価格を安く抑えることができ、余計な設置場所も取らず、格段の使い勝手の向上を図る事が出来るようになる。また前記電子タグ読み取り装置を用いて読み取った電子タグデータをもとに物品管理を行うことで電子タグに書き込まれた物品情報を有効に活用し、効率的に物品管理が出来るようになり、利用者の著しい利便性の向上を図ることが可能となる。
【図面の簡単な説明】
【図１】本発明の実施の形態１における電子タグデータ読み取り装置の図
【図２】本発明の実施の形態２における電子タグデータ読み取り装置の図
【図３】本発明の実施の形態３における電子タグデータ読み取り装置の図
【図４】本発明の実施の形態４における電子タグデータ読み取り装置の図
【図５】本発明の実施の形態５における電子タグデータ読み取り装置を使用している状態の一例図
【図６】本発明の実施の形態６における電子タグデータ読み取り装置を使用している状態の一例図
【図７】本発明の実施の形態５における読み取り動作時のモニタ表示の一例図
【図８】本発明の実施の形態５における読み取り動作時のモニタ表示の一例図
【図９】本発明の実施の形態５における廃棄用にデータ読み取り動作をした時のモニタ表示の一例図
【図１０】本発明の実施の形態７における電子タグデータ読み取り装置を用いた物品管理方法の処理ステップを示したフローチャート
【図１１】物品管理システムがローカルネットワークと外部ネットワークに接続された状態を表した図
【図１２】本発明の実施の形態８における一覧表の一例図
【図１３】本発明の実施の形態８における管理者設定の一例図
【図１４】本発明の実施の形態８における管理者設定の一例図
【図１５】本発明の実施の形態９における一覧表の一例図
【図１６】本発明の実施の形態９における詳細情報の表示の一例図
【図１７】本発明の実施の形態１０における一覧表の一例図
【図１８】本発明の実施の形態１０における詳細情報の表示の一例図
【図１９】本発明の実施の形１０における定期購入に関する入力表示の一例図
【図２０】本発明の実施の形態１１における一覧表の一例図
【図２１】本発明の実施の形態１１における詳細情報の表示の一例図
【図２２】本発明の実施の形態１１におけるネットワーク接続機器にデータを送信する場合の一例図
【図２３】特許文献１記載の電子タグ図
【図２４】特許文献２記載の電子タグスキャナ図
【図２５】特許文献３記載の在庫管理システムを示す図
【符号の説明】
１０１  電子タグ用送受信アンテナ
１０２  アンテナ制御部
１０３  電子タグデータ認識部
１０４  マウス移動方向移動量検出部
１０５  マウス用スイッチ
１０６  マウス操作データ認識部
１０７  転送データ切り換え部
１０８  データ転送部
１０９  電子タグ
１１０  電子タグ読み取り装置
１２０  コンピュータ本体
２０１  切り換えスイッチ
２０２  転送データ切り換え部
２１０  電子タグ読み取り装置
３０１  データ転送部
３１０  電子タグ読み取り装置
４０１  転送データ切り換え部
４０２  アンテナ制御部
４０３  ワイヤレスマウス電子タグ兼用送受信アンテナ
４１０  電子タグ読み取り装置
５０１  コンピュータ用モニタ
５０２  紙パック牛乳
５０３  紙パック牛乳５０２に貼られた電子タグ
５０４  胃腸薬
５０５  胃腸薬５０４に貼られた電子タグ
５０６  おもちゃのミニカー
５０７  おもちゃのミニカー５０６に貼られた電子タグ
５０８  カップアイスクリーム
５０９  カップアイスクリーム５０８に貼られた電子タグ
５１０  女性用ブラウス
５１１  女性用ブラウス５１０に貼られた電子タグ
６０１  使用済みの紙パック牛乳
６０２  紙パック牛乳６０１に貼られた電子タグ
６０３  ごみ箱
６０４  ごみ箱に設置された電子タグ読み取り装置
１００１  電子タグ読み取り開始の判断ステップ
１００２  データ読み取り、読み取りデータ表示ステップ
１００３  追加データの判断ステップ
１００４  蓄積データ１００９との比較および判断ステップ
１００５  読み取りデータの一覧表示と管理者等の関連データ入力ステップ
１００６  データをストアするステップ
１００７  詳細データ表示の要求を判断するステップ
１００８  選択項目の詳細データ表示とカテゴリ別の表示ステップ
１００９  蓄積データ
１０１０  関連ＨＰに接続する要求を確認するステップ
１０１１  関連ＨＰに接続するステップ
１０１２  接続先のＨＰから必要データの入手と入手データの表示または必要データの登録を行うステップ
１０１３  ローカルネットワークに接続されているか確認するステップ
１０１４  データの保存要求を確認するステップ
１０１５  データを保存するステップ
１０１６  データ転送要求を確認するステップ
１０１７  関連機器へデータ転送を行うステップ
１０１８  廃棄データ処理画面へ進むステップ
１０１９  データ廃棄可否の確認ステップ
１０２０  関連データ廃棄処理ステップ
１０２１  廃棄データとして蓄積されたデータ
１０２２  インターネット購買要求を判断するステップ
１０２３  関連ＨＰへの接続ステップ
１０２４  購入に必要な処理を行うステップ
１１０１  ローカルネットワークに接続された冷蔵庫
１１０２  ローカルネットワークに接続された洗濯機
１１０３  ローカルネットワークに接続されたオーブンレンジ
１１０４  ローカルネットワークに接続されたエアコン
１１０５  ローカルネットワークに接続されたビデオ
１１０６  ローカルネットワークに接続されたＤＶＤ
１１０７  ローカルネットワークに接続されたデジタルテレビ
１１１０  ローカルネットワーク
１１２０  コンピュータ１２０が接続されている外部ネットワーク
２３０１  シート材料
２３０２  ループコイルアンテナ
２３０３  ＩＣチップモジュール
２３０４  コイル本体
２３０４ａ  内側始端
２３０４ｂ  外側終端
２３０５  引出線
２３０５ａ  一端
２３０５ｂ  他端
２３１０  電子タグ
２４０２  誘電体板
２４０３  アンテナ素子
２４０４ａ  円偏波発生素子
２４０４ｂ  円偏波発生素子
２４０５  給電点
２４０７  透孔
２４０８  レーザ発光素子
２４０９  フォトダイオード
２４１０  透孔
２５４０  メモリ
２５４１  現在庫リスト
２５４２  在庫リスト
２５４３  相関データベース
２５４４  ショッピング・リスト
２５５０  更新モジュール
２５５１  生成モジュール
２５５２  消去モジュール
２５５３  比較モジュール
２５５４  編集モジュール
２５５５  表示ドライバ
２５５６  プリント・ドライバ
２５５７  送信ドライバ
【図１】
2004272648.tif 000003
【図２】
2004272648.tif 000004
【図３】
2004272648.tif 000005
【図４】
2004272648.tif 000006
【図５】
2004272648.tif 000007
【図６】
2004272648.tif 000008
【図７】
2004272648.tif 000009
【図８】
2004272648.tif 000010
【図９】
2004272648.tif 000011
【図１０】
2004272648.tif 000012
【図１１】
2004272648.tif 000013
【図１２】
2004272648.tif 000014
【図１３】
2004272648.tif 000015
【図１４】
2004272648.tif 000016
【図１５】
2004272648.tif 000017
【図１６】
2004272648.tif 000018
【図１７】
2004272648.tif 000019
【図１８】
2004272648.tif 000020
【図１９】
2004272648.tif 000021
【図２０】
2004272648.tif 000022
【図２１】
2004272648.tif 000023
【図２２】
2004272648.tif 000024
【図２３】
2004272648.tif 000025
【図２４】
2004272648.tif 000026
【図２５】
2004272648.tif 000027